(57)【要約】  本発明は空間的に局所化された高強度レーザビームを生成するためのシステムに関する。本システムは、１ピコ秒以下の継続時間を有するＮ個のレーザパルスのバーストを生成するように設計されたレーザ源（８０）であって、Ｎ個のレーザパルスは０．５ギガヘルツ以上の第１の繰り返し周波数（ｆ１）を有する、レーザ源（８０）と；Ｎ個のレーザパルスのバーストを受信し蓄積するように設計された共振光空洞（１０）であって、共振光空洞（１０）は、Ｎ個のレーザパルスのバーストを前記共振光空洞（１０）の相互作用領域（２５）へ集束させるように設計される、共振光空洞（１０）と；バーストのＮ個のパルスが干渉領域（２５）内の積極的な干渉により時間的に空間的に重畳され１つのジャイアント超短高エネルギーパルスを形成するように、共振光空洞内の往復距離に対し第１の繰り返し周波数（ｆ１）を制御するように設計されたサーボ制御システム（１３）と、を含む。
2021503723.tif 000002
【特許請求の範囲】
【請求項１】
空間的に局所化された高強度レーザビームを生成するためのシステムであって、
−Ｎ個のレーザパルスのバーストを生成するようにされたレーザ源（８０）であって、Ｎは１より高い自然数であり、前記Ｎ個のレーザパルスは第１の繰り返し周波数（ｆ１）を有し、前記レーザパルスは１ピコ秒以下の継続時間を有する超短レーザパルスであり、前記第１の繰り返し周波数（ｆ１）は０．５ギガヘルツ以上である、レーザ源と、
−Ｎ個のレーザパルスの前記バーストを受信し蓄積するようにされた共振光空洞（１０）であって、前記共振光空洞（１０）は、Ｎ個のレーザパルスの前記バーストを前記共振光空洞（１０）の相互作用領域（２５）へ集束させるようにされ、前記共振光空洞内の往復距離はｃ／ｆ１に等しく、ｃは光速である、共振光空洞（１０）と、
−前記バーストの前記Ｎ個のパルスが超短且つ高エネルギージャイアントパルスを形成するために前記相互作用領域（２５）内の積極的干渉により時間的及び空間的に互いに重畳されるように、前記第１の繰り返し周波数（ｆ１）を前記共振光空洞内の往復距離に対して制御するようにされたサーボ制御システム（１３）とを含むことを特徴とするシステム。
【請求項２】
前記レーザ源は１ＧＨｚ以上の第１の繰り返し周波数（ｆ１）で発射する発振器（１）を含む、請求項１に記載のシステム。
【請求項３】
前記レーザ源（８０）は主光空洞を含む再生増幅器を含み、前記サーボ制御システム（１３）は前記第１の繰り返し周波数（ｆ１）を制御するように前記主光空洞の長さを調節するようにされる、請求項１に記載のシステム。
【請求項４】
前記レーザ源（８０）は４ＭＨｚ以下の第２の繰り返し周波数（ｆ２）を有するＮ個の超短レーザパルスのバーストを選択するようにされたパルスピッカー（３）を含む、請求項１〜３のいずれか一項に記載のシステム。
【請求項５】
前記共振光空洞は平面構成で配置された鏡（Ｍ１、Ｍ２、Ｍ３、Ｍ４）を含む、請求項１〜４のいずれか一項に記載のシステム。
【請求項６】
前記共振光空洞（１０）はＮ個の超短レーザパルスの前記バーストを受信するようにされた少なくとも１つの開口（９）を含む真空槽（８）内に配置され、前記少なくとも１つの開口（９）は荷電粒子ビーム（４０）を受信するようにされ、前記共振光空洞（１０）は、前記荷電粒子ビーム（４０）が前記相互作用領域（２５）内のレーザパルス群の前記バーストの伝搬の方向に対し５度以下の入射角の元に前記相互作用領域（２５）内で伝播するように配置される、請求項１〜５のいずれか一項に記載のシステム。
【請求項７】
請求項１〜６のいずれか一項に記載のシステムを含むラマン分光装置であって、前記相互作用領域（２５）は分析対象試料を収容するように意図されており、前記ラマン分光装置は前記相互作用領域（２５）の前記試料上に前記超短ジャイアントパルスを散乱することにより形成されるラマン散乱光学ビームを測定するように配置されたラマン分光計を含む、ラマン分光装置。
【請求項８】
空間的に局所化された高強度レーザビームを生成する方法であって、
−０．５ギガヘルツ以上の第１の繰り返し周波数（ｆ１）において１ピコ秒以下の継続時間を有するレーザパルスを生成する工程と；
−前記第１の繰り返し周波数（ｆ１）においてＮ個のレーザパルスのバーストを選択する工程であって、Ｎは１以上自然数である、工程と；
−Ｎ個のレーザパルスの前記バーストを共振光空洞（１０）内に注入する工程であって、前記共振光空洞はｃ／ｆ１に等しい往復距離を有し、ｃは共振光空洞内の光速であり、前記共振光空洞（１０）は、Ｎ個のレーザパルスの前記バーストを前記共振光空洞（１０）の相互作用領域（２５）へ集束させるようにされる、工程と、
−前記Ｎ個のパルスの前記バーストが極短且つ高エネルギージャイアントパルスを形成するために前記相互作用領域（２５）内の積極的干渉により時間的及び空間的に互いに重畳されるように、前記共振光空洞（１０）の往復距離に対して前記第１の繰り返し周波数（ｆ１）を制御する工程と、を含む方法。
【請求項９】
前記超短ジャイアントパルスと同期して前記共振光空洞（１０）の前記相互作用領域（２５）内で伝播する荷電粒子ビームと請求項８に記載の方法に従って生成された前記超短ジャイアントパルスとの相互作用により非弾性散乱を測定する方法。
【請求項１０】
前記共振光空洞（１０）の前記相互作用領域（２５）内に置かれた試料と請求項８に記載の方法に従って生成された前記超短ジャイアントパルスとの相互作用により非弾性散乱を測定する方法。
【発明の詳細な説明】
【技術分野】
【０００１】
本発明は一般的にはレーザの分野に関する。
【０００２】
より具体的には、本発明は空中の一点に局所化された極高強度レーザビームを生成するレーザシステムに関する。
【０００３】
本発明はまた、荷電粒子ビーム又は分析対象試料と非弾性散乱することにより、局所化された点において相互作用するように意図された極高強度レーザシステムに関する。
【０００４】
本発明は特に、レーザビームと荷電粒子ビームとの間の相互作用により生成される逆コンプトン散乱の測定のための方法及び装置に関する。
【背景技術】
【０００５】
粒子加速器は基礎物理において特に使用される巨大な科学機器である。科学機器又は医療装置の分野においてこれらの粒子ビームの新しいアプリケーションを開発することが探索されている。これらのアプリケーションは、例えば医療又は美術史環境における使用のための強力且つ小型Ｘ線源の開発を必要とする。
【０００６】
特に、電子のパケットとレーザビームとの間のコンプトン相互作用に基づき逆コンプトン散乱放射線を生成することが探索されている。次に、非弾性散乱により生成される放射線の強度は相互作用時の光子数及び電子数の両方に依存する。さらに、逆コンプトン散乱放射線の強度は等方的に分散されない。実際、逆コンプトン散乱放射線の強度は、電子ビームとレーザビームとの間の角度及び／又は入射レーザビームと散乱ビームとの間の角度に大きく依存する。したがって、検出された逆コンプトン散乱放射線の強度を最大化することが探索されている。
【０００７】
線形型又はリング型の様々なタイプの加速器が低エネルギー電子（５０ＭｅＶ程度の）のパケットを生成するために企図される。貯蔵リングは、その小型性、低コスト及び使いやすさに起因する有利な構成を有する。小型性及び低エネルギーは粒子加速器の選択においてだけでなく粒子ビームとレーザビームとの間の結合構成においても難題を課す。
【０００８】
同じ２００ｍＪレーザパルスを３２回循環させるように２つの放物面鏡と３１対の螺旋状に配置された鏡とを含む光学的再循環器を使用するＥＬＩ−ＮＰ−ＧＳ源が知られている。したがって、この同じ２００ｍＪレーザパルスは、１００ヘルツ（Ｈｚ）の速度で生成される電子の３２個のパケットと同じ焦点において逐次的に相互作用する。しかし、このタイプの光学的再循環器は嵩張る。さらに、真空槽内の６４個の鏡の設定は特に複雑である。
【０００９】
定常状態レーザビームを増幅するためにレーザビームをＦａｂｒｙ−Ｐｅｒｏｔ空洞へ結合するシステムもまた存在する。
【００１０】
一般的に、所定点で局所化される高強度レーザシステムを有することが望ましい。
【００１１】
より具体的には、荷電粒子ビームと高強度レーザビームとの間の相互作用のためのシステムであって、実現するのが容易であり且つこの相互作用により生成される逆コンプトン効果により非弾性散乱ビームの強度を増加することを可能にするシステムを開発することが探索されている。
【発明の概要】
【発明が解決しようとする課題】
【００１２】
最先端技術の上述の欠点を改善するために、本発明は空間的に局所化された高強度レーザビームを生成するためのシステムを提案する。
【課題を解決するための手段】
【００１３】
より具体的には、本発明によると、Ｎ個のレーザパルスのバーストを生成するようにされたレーザ源であって、Ｎは１より高い自然数であり、Ｎ個のレーザパルスは第１の繰り返し周波数（ｆ１）を有し、レーザパルスは１ピコ秒以下の継続時間を有する超短レーザパルスであり、第１の繰り返し周波数（ｆ１）は０．５ギガヘルツ以上である、レーザ源と；Ｎ個のレーザパルスの前記バーストを受信及び蓄積するようにされるとともにＮ個のレーザパルスのバーストを共振光空洞の相互作用領域へ集束させるようにされた共振光空洞であって、共振光空洞内の往復距離はｃ／ｆ１に等しく、ｃは光速である、共振光空洞と；Ｎ個のパルスのバーストが、超短且つ高エネルギージャイアントパルスを形成するために相互作用領域内の積極的干渉により時間的及び空間的に互いに重畳されるように、第１の繰り返し周波数（ｆ１）を共振光空洞内の往復距離に対して制御するようにされたサーボ制御システムと、を含むシステムが提案される。
【００１４】
このシステムは所定相互作用領域を生成することを可能にし、レーザビームは極高強度を有し、このレーザパルスは超短継続時間のものであり、共振光空洞により約係数Ｎだけ乗算された出力を有する。
【００１５】
好適には、Ｎは１０〜１０００に含まれる（より好適には１００〜３００に含まれる）自然数である。
【００１６】
特定実施形態では、レーザ源は第１の繰り返し周波数（ｆ１）で発射する発振器を含む。
【００１７】
別の特定の実施形態では、レーザ源は再生増幅器（好適には光ファイバタイプの）を含み、光増幅器は主光空洞を含み、サーボ制御システムは第１の繰り返し周波数（ｆ１）を制御するように主光空洞の長さを調節するようにされる。
【００１８】
好適には、第１の繰り返し周波数（ｆ１）は１ＧＨｚ以上である。
【００１９】
有利には、レーザ源は、４ＭＨｚ以下の第２の繰り返し周波数（ｆ２）を有するＮ個の超短レーザパルスのバーストを選択するようにされたパルスピッカーを含む。
【００２０】
好適には、共振光空洞は平面構成で配置された鏡を含む。
【００２１】
特定及び有利な実施形態によると、共振光空洞は２つの球面鏡と２つの平面鏡とを含み、２つの球面鏡及び２つの平面鏡は平面構成で配置される。
【００２２】
一変形態様によると、共振光空洞は２つの球面鏡と１つだけの平面鏡とを含む。
【００２３】
有利には、共振光空洞は曲率半径Ｒ／２の第１の凹球面鏡（Ｍ３）及び曲率半径Ｒ／２の第２の凹球面鏡（Ｍ４）を含み、第１の凹球面鏡（Ｍ３）及び第２の凹球面鏡（Ｍ４）は同心構成で配置され、第１の凹球面鏡（Ｍ３）と第２の凹球面鏡（Ｍ４）との間の距離はＲに等しい。
【００２４】
特定態様によると、サーボ制御システムは、共振光空洞内のＮ個のパルスのバーストの積極的干渉を表す信号を検出するようにされた検出器を含む。
【００２５】
一実施形態によると、共振光空洞は、Ｎ個の超短レーザパルスのバーストを受信するようにされた少なくとも１つの開口を含む真空槽内に配置され、前記少なくとも１つの開口は荷電粒子ビームを受信するようにされ、共振光空洞は、荷電粒子ビームが相互作用領域内のレーザパルス群のバーストの伝搬の方向に対し５度以下の入射角の元で相互作用領域内で伝播するように配置される。
【００２６】
特に有利には、共振光空洞は２〜３ｄｍ３未満（好適には１ｄｍ３未満）の容積を有する。
【００２７】
本発明はまた、空間的に局所化された高強度レーザビームを生成するためのシステムを含むラマン分光装置を提案する。ここでは、相互作用領域は分析対象試料を収容するように意図されており、ラマン分光装置は、相互作用領域の試料上に前記超短ジャイアントパルスを散乱することにより形成されるラマン散乱光学ビームを測定するように配置されたラマン分光計を含む。
【００２８】
本発明はまた、空間的に局所化された高強度レーザビームを生成する方法を提案する。本方法は、
−０．５ギガヘルツ以上の第１の繰り返し周波数（ｆ１）において１ピコ秒以下の継続時間を有するレーザパルスを生成する工程と；
−第１の繰り返し周波数（ｆ１）においてＮ個のレーザパルスのバーストを選択する工程であって、Ｎは１以上自然数である、工程と；
−Ｎ個のレーザパルスのバーストを共振光空洞内に注入する工程であって、共振光空洞はｃ／ｆ１に等しい往復距離を有し、ｃは共振光空洞内の光速であり、共振光空洞はＮ個のレーザパルスのバーストを共振光空洞の相互作用領域へ集束させるようにされる、工程と；
−Ｎ個のパルスのバーストが極短且つ高エネルギージャイアントパルスを形成するために相互作用領域内の積極的干渉により時間的及び空間的に互いに重畳されるように、共振光空洞の往復距離に対して第１の繰り返し周波数（ｆ１）を制御する工程と、を含む。
【００２９】
本発明は、超短ジャイアントパルスと同期して共振光空洞の相互作用領域内で伝播する荷電粒子ビームと請求された方法に従って生成された超短ジャイアントパルスとの相互作用により非弾性散乱を測定する方法も提案する。
【００３０】
最後に、本発明は共振光空洞の相互作用領域内に置かれた試料と請求された方法に従って生成された超短ジャイアントパルスとの相互作用により非弾性散乱を測定する方法を提案する。
【００３１】
非限定的例により与えられる添付図面に関連する以下の説明は本発明が何から構成されるか及び本発明がどのように実施され得るかの良い理解を与えることになる。
【図面の簡単な説明】
【００３２】
【図１】本発明による超短ジャイアントレーザパルス生成システムを概略的に示す。
【図２】一実施形態による共振光空洞を含む真空槽の斜視図を概略的に示す。
【図３】図２の共振光空洞の鏡フレームの配置の斜視図を概略的に示す。
【図４】そのマイクロメートル精度調節器を有する鏡フレームの例を示す。
【図５】同一面構成で配置された４つの鏡を有する共振光空洞を形成する鏡フレームの配置の例示的実施形態を概略的に示す。
【図６】逆コンプトン散乱ビームを形成するために４鏡型共振光空洞の一点に集束された超短且つ高エネルギージャイアントレーザパルスと荷電粒子ビームとの結合を斜視図で概略的に示す。
【図７】逆コンプトン散乱ビームを形成するための４鏡型共振光空洞内の高エネルギーパルスレーザー光と荷電粒子ビームとの間の相互作用の別の図を概略的に示す。
【図８】３鏡型光振空洞変形形態を示す。
【図９】本発明の一変形態様による超短ジャイアントレーザパルス生成システムを概略的に示す。
【発明を実施するための形態】
【００３３】
装置及び方法
図１には、超短ジャイアントレーザパルス生成システムが示される。
【００３４】
本文書では、「超短パルス」により意味するのは、２０ｆｓ〜約１０ｐｓに概して含まれる継続時間と０．１〜５０ｎｍのスペクトル幅とを有する光パルスである。
【００３５】
図１のシステムは、共振光空洞１０及びフィードバックループ制御システムと組み合わせられた超短且つ高エネルギーレーザパルス群のバーストを生成するようにされたレーザ源８０を含む。
【００３６】
一実施形態では、レーザ源８０は、パルス型発振器１、ビームスプリッタ２、パルスピッカー３、光増幅システム４、ビーム結合器５、反射鏡６、７を含む。発振器１は同調可能レーザ空洞に基づく。発振器１は、ｆ１で表される第１の繰り返し周波数において源パルス１００を生成するようにされる。有利には、第１の繰り返し周波数は５００ＭＨｚ以上であり、好適には１ＧＨｚ以上、又はさらには数ギガヘルツである。第１の繰り返し周波数ｆ１に応じて、源パルス１００は０．３ｎｓ〜２ｎｓに含まれる時間間隔だけ互いに分離される。
【００３７】
ビームスプリッタ２及びビーム結合器５は例えば偏光スプリッタキューブタイプのものである。この場合、源パルス１００は発振器１の出口において例えば線型に偏向される。ビームスプリッタ２は源パルスをパルスビーム１１０と他のパルスビーム１２０とへ空間的に分割するように配置され方向付けされる。パルスビーム１１０は鏡６、７上で反射され、第１の繰り返し周波数ｆ１の低出力パルスビーム１１０を形成する。
【００３８】
パルスピッカー３は例えば電子光学変調器に基づく。パルスピッカー３は、発振器１から来る他のパルスビーム１２０を受信し、Ｎ個のパルスのバーストを選択する、ここで、Ｎは１より高い自然数であり、好適には２５〜１００００に含まれる自然数であり、さらに好適には１００〜３００に含まれる自然数である。有利には、パルスピッカー３は４ＭＨｚ以下の第２の繰り返し周波数（ｆ２で表される）で動作する。代替案として、パルスピッカー３はまた、単一パルスバーストを選択することにより動作し得る。Ｎ個のパルスの同じバースト内で、パルスは第１の繰り返し周波数ｆ１により決定される時間間隔だけ離間される。
【００３９】
光増幅システム４は１つの光増幅器又はいくつかの直列に配置された光増幅器を含む。光増幅システム４は光ファイバ、ディスク、及び／又は固体増幅器に基づき得る。光増幅システム４は、Ｎ個の高出力光パルスのバーストを形成するためにＮ個のパルスのバーストを受信しそれを増幅する。したがって、光増幅システム４はＮ個のパルスのバーストで構成された高出力パルスビーム１２０を供給し、このバーストは一般的には第２の繰り返し周波数ｆ２で発射される。
【００４０】
一変形態様によると、高周波パルス発振器及び１つ又はいくつかの線形光増幅器の代わりに、レーザ源８０は再生増幅器（好適には光ファイバタイプの）を含む。好適には、この場合、再生増幅器は、再生光空洞と、源パルスを繰り返し周期Ｔ１で前記再生光空洞内に注入する手段と、前記再生光空洞から前記レーザパルスを抽出する手段とを含む。この場合、再生光空洞は、前記再生光空洞内の各パルスの往復の継続時間が周期Ｔ１のＮ−１〜Ｎ倍に含まれるような全体長を呈示する。ここで、Ｎは２以上の整数であり、前記注入手段は前記再生光空洞内のＮ個のレーザパルスのバーストをトラップするようにされ、前記抽出手段は前記再生光空洞の前記Ｎ個のレーザパルスのバーストを抽出するようにされ、前記光増幅器手段は増幅されたレーザパルス群のバーストを形成するようにされる。有利には、注入手段及び抽出手段は、パルス群のバーストの注入とパルス群の前記バーストの抽出との間を十分に遮断するように構成されたポッケルス（Ｐｏｃｋｅｌｓ）セルを含む。好適には、パルス群のバーストのうちの１パルスが増幅器手段を複数回通過するように再生光空洞はマルチパス空洞であり増幅器手段は前記マルチパス再生光空洞内に配置される。有利には、再生光空洞は複数の鏡を有する光学系を含むマルチパス空洞であり、前記複数の鏡は、それぞれの鏡上の入射ビームが前記マルチパス空洞内の通過毎に空間的にオフセットされるように配置され、増幅器手段は再生光空洞の内部に配置される。
【００４１】
したがって、Ｎ個の超短且つ高出力レーザパルスのバーストを生成するレーザ源が利用可能であり、同じバーストのパルスは０．５ギガヘルツ（ＧＨｚ）以上（好適には１ＧＨｚ以上）の第１の繰り返し周波数ｆ１におけるものである。
【００４２】
以下、次の用語が等価として使用される：パルス群のバースト、一連のパルス、一系列のパルス、又はマクロパルス（マルチバンチ：ｍｕｌｔｉ−ｂｕｎｃｈ）。
【００４３】
ビーム結合器５は、第１の繰り返し周波数ｆ１における低出力パルスビーム１１０とＮ個のパルスのバーストで構成された高出力パルスビーム１２０とを光パルスビーム１５０へ空間的に再結合するように配置され方向付けされる。
【００４４】
この光パルスビーム１５０は共振光空洞を含む真空槽８内に開口９を介し注入される。
【００４５】
図２〜図７は本発明の第１の実施形態による４鏡型共振光空洞を詳細に示す。
【００４６】
共振光空洞１０は２つの平面鏡Ｍ１、Ｍ２及び２つの球面鏡Ｍ３、Ｍ４を含む。鏡Ｍ１、Ｍ２、Ｍ３、Ｍ４は長四辺形の端に平面構成で配置される。鏡Ｍ３、Ｍ４は同心構成で配置され、好適には同じ曲率半径（Ｒ／２）を有し、鏡Ｍ３とＭ４との間の距離はＲに等しい。パルスビーム１５０は、平面鏡Ｍ１を介し共振光空洞内に注入され、平面鏡Ｍ２方向へ行き、平面鏡Ｍ２はこのビームを球面鏡Ｍ３方向へ反射する。鏡Ｍ３は、パルスビーム１５０を鏡Ｍ４方向へ反射し、このビームを鏡Ｍ３と鏡Ｍ４との間の光軸上に位置する相互作用領域２５へ集束させる。鏡Ｍ４は、パルスビーム１５０を鏡Ｍ１方向へ反射し、これにより閉ループ光路を形成する。したがって、共振光空洞１０はパルスビーム１５０をＸ形状折り返しループに従って伝播することを可能にする（図７、図８を参照）。共振光空洞内の往復の全長は、同じバーストのＮ個のパルスが共振光空洞内にジャイアントパルスを形成するために積極的干渉により互いにコヒーレントに重畳されるように調節される。さらに、共振光空洞１０はジャイアントパルスを相互作用領域２５（例えば鏡Ｍ３とＭ４との間に位置する焦点面２０）へ集束させる。ジャイアントパルスはＧＨｚ速度で空洞内でＮ回循環する。共振光空洞１０はパルスバーストの速度で（すなわち第２の繰り返し周波数ｆ２で）充填されそして空にされる。
【００４７】
ジャイアントパルスはレーザ源のレーザパルスと同じ継続時間を有する。
【００４８】
約２００ｆｓの継続時間及び２０〜３０ｍＪ程度の源パルス当たりエネルギーを有するＮ≒２０００個のパルスのバーストに関し、１０１５Ｗ／ｃｍ２程度の強度を有するパルスが相互作用領域２５内で得られる。レーザビームの腰部における横断サイズは３０マイクロメートルの程度のものである。したがって、バーストのパルスのエネルギーは相互作用点において蓄積される。さらに、ジャイアントパルスは同じ相互作用領域２５内において第２の繰り返し周波数で繰り返され得る。したがって、ジャイアントレーザパルスと数回相互作用することが可能である。
【００４９】
共振光空洞１０内の往復中の光路の長さは第１の繰り返し周波数ｆ１に応じて定められる。より正確には、この往復長さはｃ／ｆ１に等しい、ここでｃは共振光空洞内の光の速度である。例えば、約１ＧＨｚの第１の繰り返し周波数ｆ１に関し、共振光空洞内の約３０ｃｍの往復長さが選択される。共振光空洞の物理的長さＬはこの場合約１５ｃｍ程度であり、鏡Ｍ３、Ｍ４は約８ｃｍの曲率半径を有する。共振光空洞の物理的長さＬは、本明細書では、同じ往復長さを有する２鏡型共振光空洞より４倍短い。別の例では、３ＧＨｚの第１の繰り返し周波数ｆ１で動作する発振器に関し、共振光空洞内の約１０ｃｍの往復長さが選択され、鏡Ｍ３、Ｍ４は２．５ｃｍ程度の曲率半径を有する。鏡Ｍ１、Ｍ２、Ｍ３、Ｍ４の径は１ｍｍ〜数センチメートルの間に含まれ、例えば６ｍｍ（すなわち１／４インチ）程度である。しかし、この構成は、この共振光空洞の効率を維持する制約と共に共振光空洞の光学的位置合わせの技術的困難性を呈示する。この構成は、所望干渉調節を得るために微細且つ極高精度光機械的調節を必要とする。したがって、極小型共振光空洞が得られる。共振光空洞は折り返されており、これにより相互作用領域周囲の共振光空洞の嵩を低減することを可能にする。共振光空洞は携帯型である。この小型性は共振光空洞を低容積真空槽内に置くことを可能にし、このシステムの実装を著しく簡単にする。真空槽及び共振光空洞の小型性は周囲振動に対するより良い絶縁とシステム全体の経費削減とを可能にする。さらに、共振光空洞の小さな嵩はまた、真空槽内に置かれたとしても、その環境が様々な科学機器で一般的には非常に散らかっているこのシステムを荷電粒子ビーム線内へより容易に挿入することを可能にする。この構成は、定められた相互作用領域内の極高強度レーザパルスと荷電粒子ビームとの間の相互作用をより容易に行うことを可能にする。
【００５０】
図３は、同じプラットホーム２８上への鏡Ｍ１、Ｍ２、Ｍ３、Ｍ４の支持体の実装を示す。より正確には、鏡Ｍ１は支持体２１上に、鏡Ｍ２は支持体２２上に、鏡Ｍ３は支持体２３上に、鏡Ｍ４は支持体２４上にそれぞれ取り付けられる。支持体２１は並進板４１上に配置される。同様に、支持体２２、２３、２４は並進板４２、４３、４４上にそれぞれ配置される。
【００５１】
図４はマイクロメータ調節器３１を備える支持体２１上の鏡Ｍ１の実装をさらに詳細に示す。
【００５２】
より正確には、パルスモードで動作するレーザ発振器１は、積極的な干渉によりバーストのレーザパルスのエネルギーを蓄積するために共振光空洞１０上で周波数で制御される。
【００５３】
再生増幅器がパルス群のバーストを生成するために使用される変形形態では、第１の繰り返し周波数を決定する再生光空洞の長さは、積極的な干渉によりバーストのレーザパルスのエネルギーを蓄積するために共振光空洞１０上で制御される。
【００５４】
鏡Ｍ１は、共振光空洞１０内にパルス群のバーストと同時に注入される低出力パルスビームの一部分２００を通過させるように構成される。検出器１２は共振光空洞から抽出される低出力パルスビームの一部分２００を検出する。低出力パルスビームの一部分２００もまた第１の繰り返し周波数ｆ１のものである。
【００５５】
サーボ制御システム１３は、一部分２００から誤差信号を導出し、レーザ発振器１の空洞又は再生増幅器の再生光空洞をそれぞれ制御するようにこの誤差信号を使用する。したがって、第１の繰り返し周波数ｆ１は、共振光空洞の相互作用領域２５内のジャイアントパルスのエネルギー及び／又は出力を最大化するように共振光空洞の長さに応じて制御される。この制御ループは１ＭＨｚ程度の周波数で動作する。したがって、レーザ源の周波数は共振光空洞１０の長さの緩やかなドリフトに応じて制御される。
【００５６】
図５は４鏡型共振光空洞の光機械的取り付けを示す。特に有利には、共振光空洞１０は球面鏡Ｍ３の下のフレーム２３上に第１の開口２６を含む。同様に、共振光空洞１０は鏡Ｍ４の上のフレーム２４上に第２の開口２７を含む。
【００５７】
共振光空洞は粒子加速器上に実装され得る。
【００５８】
図６と図７に示す電子ビームとレーザビームとの間の相互作用へのアプリケーションでは、電子ビーム４０は共振光空洞１０内に注入される。より正確には、電子ビーム４０は第１の開口２６及び／又は第２の開口２７を通過し共振光空洞１０の焦点領域へ向かうように方向付けられる。したがって、電子ビーム４０は共振光空洞１０の相互作用領域２５内に形成されるジャイアントパルスと相互作用し得る。この相互作用は、検出され得る逆コンプトン散乱ビーム５０を生成する。
【００５９】
球面鏡Ｍ３、Ｍ４の径は荷電粒子ビーム４０とレーザビーム１６０との最小交角を決定する。
【００６０】
鏡同士間の距離は並進板４１、４２、４３及び／又は４４により荷電粒子のパケット同士間の距離に応じて調節され得る。ジャイアントレーザパルスと荷電粒子ビームとの重なりは、交角ＡＬＰＨＡが低く、レーザビームの横断サイズが荷電粒子ビームの横断サイズに対して小さければなお良い。３又は４度以下である交角ＡＬＰＨＡは約３０ｃｍの往復長さを有する空洞に関して得られる。
【００６１】
このシステムは、荷電粒子のパケットが１ｎｓの程度すなわちギガヘルツ程度の周波数のパケット間周期で発射される場合に特に有利である。実際、発振器の第１の繰り返し周波数ｆ１は、第２のサーボ制御システムを介し荷電粒子のパケットの生成の周波数に対し同期され得る。
【００６２】
図８は３鏡型変形形態による共振光空洞を示す。この変形形態では、共振光空洞１０は注入のための平面鏡Ｍ１と２つの球面鏡Ｍ３、Ｍ４とを含む。３つの鏡Ｍ１、Ｍ３、Ｍ４は平面構成で配置される。有利には、２つの球面鏡Ｍ３、Ｍ４は同心構成で配置される。例えば、球面鏡Ｍ３、Ｍ４は同じ曲率半径Ｒ／２を有し、鏡Ｍ３とＭ４との間の距離はＲに等しい。したがって、ジャイアントレーザパルスが集束される相互作用領域は鏡Ｍ３と鏡Ｍ４との間の距離の１／２に位置する。３鏡型共振光空洞の物理的長さＬは、本明細書では、同じ往復長さを有する２鏡型共振光空洞より３倍短い。
【００６３】
図９は、鏡Ｍ２、Ｍ４から来る他の漏洩信号を検出するように配置された他の検出器１４、１５、１６をさらに含む超短且つ高エネルギージャイアントレーザパルス生成システムの変形形態を示す。
【００６４】
別のアプリケーションでは、共振光空洞上で制御されるレーザ源は、レーザビームと試料との間の相互作用を生成し非弾性散乱（例えばラマン散乱タイプの）を測定するために使用され得る。
【００６５】
この目的のために、分析対象試料は上に説明したように、システムの共振光空洞の相互作用領域２５内に置かれ、ジャイアントレーザパルスの散乱により形成される光ビームは試料上に集められる。フィルタは、弾性散乱（又はレイリー散乱）成分を表す光ビーム内へ散乱された光ビームと非弾性散乱（例えばラマン散乱）成分を表す光ビームとを分離する。分光計は非弾性散乱光ビームをスペクトル的に分析する。このシステムは、試料に入射するジャイアントレーザパルスの極高強度のおかげで非弾性散乱光ビームの強度を増加することを可能にする。
【図１】
2021503723.tif 000003
【図２】
2021503723.tif 000004
【図３】
2021503723.tif 000005
【図４】
2021503723.tif 000006
【図５】
2021503723.tif 000007
【図６】
2021503723.tif 000008
【図７】
2021503723.tif 000009
【図８】
2021503723.tif 000010
【図９】
2021503723.tif 000011
【国際調査報告】
2021503723.tif 000012
2021503723.tif 000013
2021503723.tif 000014
2021503723.tif 000015